(57)【要約】【課題】発電プラントに投入する化石燃料およびバイオマス燃料の比率の決定をＣＯ２排出権および炭素税を考慮して支援する。【解決手段】演算部１００は、発電プラントに投入するバイオマス燃料の化石燃料に対する比率の評価値を複数の比率各々に対して算出する評価値算出部１０２を有する。評価値算出部１０２は、複数の比率各々に対して次の処理を行う。先ず、前記比率で各燃料を投入した場合に発電目標値を生成するために必要な各燃料の投入量を算出する。次に、化石燃料の投入量に対応するＣＯ２排出量を特定し、該ＣＯ２排出量に対応するＣＯ２排出権の価格を特定する。また、化石燃料の投入量に対応する炭素税の価格を特定する。また、各燃料の投入量に対する燃料費を算出する。そして、炭素税の価格、燃料費およびＣＯ２排出権の価格の総額に応じた値を、比率に対する評価値とする。【選択図】図２
2005332171.tif 000002
【特許請求の範囲】
【請求項１】
化石燃料およびバイオマス燃料の混焼が可能な発電プラントに投入する化石燃料およびバイオマス燃料の比率の決定を、コンピュータが支援する投入比決定支援方法であって、
前記コンピュータの記憶装置には、所定期間に供給すべき発電量の目標値を示す発電目標値データと、前記発電プラントにおける化石燃料の単位発電量を示す化石燃料発電データと、前記発電プラントにおけるバイオマス燃料の単位発電量を示すバイオマス燃料発電データと、化石燃料の投入量と前記発電プラントのＣＯ２排出量との関係を示す投入量-排出量関係データと、ＣＯ２排出量とＣＯ２排出権の価格との関係を示す排出量-価格関係データと、化石燃料の投入量と炭素税の価格との関係を示す投入量-価格関係データと、化石燃料の単価を示す化石燃料単価データと、バイオマス燃料の単価を示すバイオマス燃料単価データと、が記憶されており、
前記コンピュータの演算装置は、
前記所定期間に前記発電プラントに投入するバイオマス燃料の化石燃料に対する比率の評価値を、複数の比率に対して算出する評価値算出ステップと、
前記評価値算出ステップで算出された複数の比率各々に対する評価値を前記コンピュータの出力装置に出力する評価値出力ステップと、を行い、
前記評価値算出ステップは、前記複数の比率各々に対して、
前記記憶装置から発電目標値データ、化石燃料発電データおよびバイオマス燃料発電データを読み出し、前記比率で化石燃料およびバイオマス燃料を投入した場合に、前記発電目標値データが示す発電量の目標値を生成するために必要な化石燃料およびバイオマス燃料各々の投入量を、前記化石燃料発電データが示す化石燃料の単位発電量および前記バイオマス燃料発電データが示すバイオマス燃料の単位発電量を用いて算出する投入量算出ステップ、
前記記憶装置から投入量-排出量関係データを読み出し、該関係データを用いて、前記投入量算出ステップで算出した化石燃料の投入量に対応するＣＯ２排出量を特定する排出量特定ステップ、
前記記憶装置から排出量-価格関係データを読み出し、該関係データを用いて、前記排出量特定ステップで特定したＣＯ２排出量に対応するＣＯ２排出権の価格を特定するＣＯ２排出権価格特定ステップ、
前記記憶装置から投入量-価格関係データを読み出し、該関係データを用いて、前記投入量算出ステップで算出した化石燃料の投入量に対応する炭素税の価格を特定する炭素税額特定ステップ、
前記記憶装置から化石燃料単価データおよびバイオマス燃料単価データを読み出し、該化石燃料単価データを用いて前記投入量算出ステップで算出した化石燃料の投入量に対する化石燃料費を算出すると共に、該バイオマス燃料単価データを用いて前記投入量算出ステップで算出したバイオマス燃料の投入量に対するバイオマス燃料費を算出する燃料費算出ステップ、および、
前記炭素税額特定ステップで特定した炭素税の価格と、前記燃料費算出ステップで算出した化石燃料費およびバイオマス燃料費と、前記ＣＯ２排出権価格特定ステップで特定したＣＯ２排出権の価格との総額に応じた値を、前記比率に対する評価値として、前記記憶装置に記憶する評価値登録ステップを行うこと
を特徴とする投入比決定支援方法。
【請求項２】
請求項１に記載の投入比決定支援方法であって、
前記コンピュータの演算装置は、
前記評価値算出ステップで算出された複数の比率各々に対する評価値から値が最も小さい評価値を特定し、該特定した評価値に対応する比率を、前記所定期間に前記発電プラントに投入するバイオマス燃料の化石燃料に対する推奨比率として、前記コンピュータの出力装置に出力する推奨比率出力ステップをさらに行うこと
を特徴とする投入比決定支援方法。
【請求項３】
請求項１または２に記載の投入比決定支援方法であって、
前記投入量算出ステップは、
前記比率をα、前記発電目標値データが示す発電量の目標値をＰ、化石燃料の投入量をＭｃ、バイオマス燃料の投入量をＭｂ、前記化石燃料発電データが示す化石燃料の単位発電量ｐｃ、および、前記バイオマス燃料発電データが示すバイオマス燃料の単位発電量をｐｂとした場合に、Ｐ＝Ｍｃ*ｐｃ+Ｍｂ*ｐｂ＝Ｍｃ*ｐｃ+α*Ｍｃ*ｐｂにより、化石燃料およびバイオマス燃料の投入量Ｍｃ、Ｍｖを算出すること
を特徴とする投入比決定支援方法。
【請求項４】
化石燃料およびバイオマス燃料の混焼が可能な発電プラントに投入する化石燃料およびバイオマス燃料の比率の決定を、コンピュータが支援する投入比決定支援装置であって、
記憶装置と、演算装置と、出力装置とを有し、
前記記憶装置には、所定期間に供給すべき発電量の目標値を示す発電目標値データと、前記発電プラントにおける化石燃料の単位発電量を示す化石燃料発電データと、前記発電プラントにおけるバイオマス燃料の単位発電量を示すバイオマス燃料発電データと、化石燃料の投入量と前記発電プラントのＣＯ２排出量との関係を示す投入量-排出量関係データと、ＣＯ２排出量とＣＯ２排出権の価格との関係を示す排出量-価格関係データと、化石燃料の投入量と炭素税の価格との関係を示す投入量-価格関係データと、化石燃料の単価を示す化石燃料単価データと、バイオマス燃料の単価を示すバイオマス燃料単価データと、が記憶されており、
前記演算装置は、
前記所定期間に前記発電プラントに投入するバイオマス燃料の化石燃料に対する比率の評価値を、複数の比率に対して算出する評価値算出処理と、
前記評価値算出処理で算出された複数の比率各々に対する評価値を前記出力装置に出力する評価値出力処理と、を行い、
前記評価値算出処理は、前記複数の比率各々に対して、
前記記憶装置から発電目標値データ、化石燃料発電データおよびバイオマス燃料発電データを読み出し、前記比率で化石燃料およびバイオマス燃料を投入した場合に、前記発電目標値データが示す発電量の目標値を生成するために必要な化石燃料およびバイオマス燃料各々の投入量を、前記化石燃料発電データが示す化石燃料の単位発電量および前記バイオマス燃料発電データが示すバイオマス燃料の単位発電量を用いて算出する投入量算出処理、
前記記憶装置から投入量-排出量関係データを読み出し、該関係データを用いて、前記投入量算出処理で算出した化石燃料の投入量に対応するＣＯ２排出量を特定する排出量特定処理、
前記記憶装置から排出量-価格関係データを読み出し、該関係データを用いて、前記排出量特定処理で特定したＣＯ２排出量に対応するＣＯ２排出権の価格を特定するＣＯ２排出権価格特定処理、
前記記憶装置から投入量-価格関係データを読み出し、該関係データを用いて、前記投入量算出処理で算出した化石燃料の投入量に対応する炭素税の価格を特定する炭素税額特定処理、
前記記憶装置から化石燃料単価データおよびバイオマス燃料単価データを読み出し、該化石燃料単価データを用いて前記投入量算出ステップで算出した化石燃料の投入量に対する化石燃料費を算出すると共に、該バイオマス燃料単価データを用いて前記投入量算出処理で算出したバイオマス燃料の投入量に対するバイオマス燃料費を算出する燃料費算出処理、および、
前記炭素税額特定処理で特定した炭素税の価格と、前記燃料費算出処理で算出した化石燃料費およびバイオマス燃料費と、前記ＣＯ２排出権価格特定処理で特定したＣＯ２排出権の価格との総額に応じた値を、前記比率に対する評価値として、前記記憶装置に記憶する評価値登録処理を行うこと
を特徴とする投入比決定支援装置。
【請求項５】
化石燃料およびバイオマス燃料の混焼が可能な発電プラントに投入する化石燃料およびバイオマス燃料の比率の決定を支援するための、コンピュータで読み取り可能なプログラムであって、
前記コンピュータの記憶装置には、所定期間に供給すべき発電量の目標値を示す発電目標値データと、前記発電プラントにおける化石燃料の単位発電量を示す化石燃料発電データと、前記発電プラントにおけるバイオマス燃料の単位発電量を示すバイオマス燃料発電データと、化石燃料の投入量と前記発電プラントのＣＯ２排出量との関係を示す投入量-排出量関係データと、ＣＯ２排出量とＣＯ２排出権の価格との関係を示す排出量-価格関係データと、化石燃料の投入量と炭素税の価格との関係を示す投入量-価格関係データと、化石燃料の単価を示す化石燃料単価データと、バイオマス燃料の単価を示すバイオマス燃料単価データと、が記憶されており、
前記プログラムは、前記コンピュータの演算装置に、
前記所定期間に前記発電プラントに投入するバイオマス燃料の化石燃料に対する比率の評価値を、複数の比率に対して算出する評価値算出ステップと、
前記評価値算出ステップで算出された複数の比率各々に対する評価値を前記コンピュータの出力装置に出力する評価値出力ステップと、を行わせ、
前記評価値算出ステップは、前記複数の比率各々に対して、
前記記憶装置から発電目標値データ、化石燃料発電データおよびバイオマス燃料発電データを読み出し、前記比率で化石燃料およびバイオマス燃料を投入した場合に、前記発電目標値データが示す発電量の目標値を生成するために必要な化石燃料およびバイオマス燃料各々の投入量を、前記化石燃料発電データが示す化石燃料の単位発電量および前記バイオマス燃料発電データが示すバイオマス燃料の単位発電量を用いて算出する投入量算出ステップ、
前記記憶装置から投入量-排出量関係データを読み出し、該関係データを用いて、前記投入量算出ステップで算出した化石燃料の投入量に対応するＣＯ２排出量を特定する排出量特定ステップ、
前記記憶装置から排出量-価格関係データを読み出し、該関係データを用いて、前記排出量特定ステップで特定したＣＯ２排出量に対応するＣＯ２排出権の価格を特定するＣＯ２排出権価格特定ステップ、
前記記憶装置から投入量-価格関係データを読み出し、該関係データを用いて、前記投入量算出ステップで算出した化石燃料の投入量に対応する炭素税の価格を特定する炭素税額特定ステップ、
前記記憶装置から化石燃料単価データおよびバイオマス燃料単価データを読み出し、該化石燃料単価データを用いて前記投入量算出ステップで算出した化石燃料の投入量に対する化石燃料費を算出すると共に、該バイオマス燃料単価データを用いて前記投入量算出ステップで算出したバイオマス燃料の投入量に対するバイオマス燃料費を算出する燃料費算出ステップ、および、
前記炭素税額特定ステップで特定した炭素税の価格と、前記燃料費算出ステップで算出した化石燃料費およびバイオマス燃料費と、前記ＣＯ２排出権価格特定ステップで特定したＣＯ２排出権の価格との総額に応じた値を、前記比率に対する評価値として、前記記憶装置に記憶する評価値登録ステップを行うこと
を特徴とするコンピュータで読み取り可能なプログラム。
【発明の詳細な説明】
【技術分野】
【０００１】
本発明は、化石燃料およびバイオマス燃料の混焼が可能な発電プラントに投入する化石燃料およびバイオマス燃料の比率の決定を支援する技術に関する。
【背景技術】
【０００２】
石炭は、豊富な埋蔵量および安定的供給が可能な点で、将来の燃料として有望である一方、ＣＯ２排出量を低減するために石炭火力プラントの効率向上が重要である。そのため、次世代の石炭火力プラントとして、超々臨界圧蒸気発電プラント（ＵＳＣ:Ultra Super-critical Steam Cycle）等が開発されている。また、石炭とバイオマス燃料との混焼によるＣＯ２排出量の削減が検討されている（例えば非特許文献１）。
【０００３】
【非特許文献１】"BENEFIT OF ADVANCED STEAM POWER PLANTS", Energy Information Administration, DOE 2000
【発明の開示】
【発明が解決しようとする課題】
【０００４】
一般に、化石燃料およびバイオマス燃料を混焼すると、化石燃料のみを燃焼する場合に比べて発電効率が低下し、結果として燃料費が増加する。したがって、コスト面を考えれば、化石燃料のみを投入した方がよいと考えられる。しかし、近年、環境保護に対する取組みの一環として、ＣＯ２排出権および炭素税の導入が提案されている。ＣＯ２排出権とは、ＣＯ２を排出できる権利である。ＣＯ２排出権の所有者は、当該権利で自身に割り当てられた量のＣＯ２（ＣＯ２排出量）を、自身の工場、発電プラント等から排出することができる。また、炭素税とは、石炭、重油、ガソリン等の化石燃料の使用量に応じて課税される税金である。従来は、発電プラントに化石燃料およびバイオマス燃料を投入するに際し、ＣＯ２排出権および炭素税を考慮する必要がなかった。
【０００５】
本発明は上記事情に鑑みてなされたものであり、発電プラントに投入する化石燃料およびバイオマス燃料の比率の決定を、ＣＯ２排出権および炭素税を考慮して支援することにある。
【課題を解決するための手段】
【０００６】
上記課題を解決するために、本発明は、先ず、コンピュータが、発電プラントに投入するバイオマス燃料の化石燃料に対する比率の評価値を、複数の比率各々に対して次のように算出する。すなわち、前記発電プラントが目標値を発電するために必要な当該比率における化石燃料の投入量およびバイオマス燃料の投入量を求め、これらの投入量による総コスト（総燃料費用）を算出する。また、求めた化石燃料の投入量に対する炭素税額およびＣＯ２排出権の価格を算出する。そして、総燃料費用、炭素税額およびＣＯ２排出権の価格の総額に応じた値を、当該比率の評価値とする。次に、コンピュータが、複数の比率各々に対して算出した評価値を出力する。
【０００７】
例えば、本発明の投入比決定支援方法は、化石燃料およびバイオマス燃料の混焼が可能な発電プラントに投入する化石燃料およびバイオマス燃料の比率の決定を、コンピュータが支援する投入比決定支援方法であって、
前記コンピュータの記憶装置には、発電量の目標値を示す発電目標値データと、前記発電プラントにおける化石燃料の単位発電量を示す化石燃料発電データと、前記発電プラントにおけるバイオマス燃料の単位発電量を示すバイオマス燃料発電データと、化石燃料の投入量と前記発電プラントのＣＯ２排出量との関係を示す投入量-排出量関係データと、ＣＯ２排出量とＣＯ２排出権の価格との関係を示す排出量-価格関係データと、化石燃料の投入量と炭素税の価格との関係を示す投入量-価格関係データと、化石燃料の単価を示す化石燃料単価データと、バイオマス燃料の単価を示すバイオマス燃料単価データと、が記憶されており、
前記コンピュータの演算装置は、
前記発電プラントに投入するバイオマス燃料の化石燃料に対する比率の評価値を、複数の比率各々に対して算出する評価値算出ステップと、
前記評価値算出ステップで算出された複数の比率各々に対する評価値を前記コンピュータの出力装置に出力する評価値出力ステップと、を行い、
前記評価値算出ステップは、前記複数の比率各々に対して、
前記記憶装置から発電目標値データ、化石燃料発電データおよびバイオマス燃料発電データを読み出し、前記比率で化石燃料およびバイオマス燃料を投入した場合に、前記発電目標値データが示す発電量の目標値を発電するために必要な化石燃料およびバイオマス燃料各々の投入量を、前記化石燃料発電データが示す化石燃料の単位発電量および前記バイオマス燃料発電データが示すバイオマス燃料の単位発電量を用いて算出する投入量算出ステップ、
前記記憶装置から投入量-排出量関係データを読み出し、該関係データを用いて、前記投入量算出ステップで算出した化石燃料の投入量に対応するＣＯ２排出量を特定する排出量特定ステップ、
前記記憶装置から排出量-価格関係データを読み出し、該関係データを用いて、前記排出量特定ステップで特定したＣＯ２排出削減量に対応するＣＯ２排出権の価格を特定するＣＯ２排出権価格特定ステップ、
前記記憶装置から投入量-価格関係データを読み出し、該関係データを用いて、前記投入量算出ステップで算出した化石燃料の投入量に対応する炭素税の価格を特定する炭素税額特定ステップ、
前記記憶装置から化石燃料単価データおよびバイオマス燃料単価データを読み出し、該化石燃料単価データを用いて前記投入量算出ステップで算出した化石燃料の投入量に対する化石燃料費を算出すると共に、該バイオマス燃料単価データを用いて前記投入量算出ステップで算出したバイオマス燃料の投入量に対するバイオマス燃料費を算出する燃料費算出ステップ、および、
前記炭素税額特定ステップで特定した炭素税の価格と、前記燃料費算出ステップで算出した化石燃料費およびバイオマス燃料費と、前記ＣＯ２排出権価格特定ステップで特定したＣＯ２排出権の価格との総額に応じた値を、前記比率に対する評価値として、前記記憶装置に記憶する評価値登録ステップを行う。
【発明の効果】
【０００８】
本発明では、発電プラントに投入するバイオマス燃料の化石燃料に対する比率毎に、目標電力を得るために当該比率でバイオマス燃料および化石燃料を発電プラントに投入した場合における燃料費、ＣＯ２排出権の価格および炭素税額の総額に応じた値を評価値として算出し出力する。したがって、本発明によれば、ユーザが、ＣＯ２排出権および炭素税を考慮した上でコスト面からみて最適な比率を決定するように支援することがきできる。
【発明を実施するための最良の形態】
【０００９】
以下に、本発明の実施の形態を説明する。
【００１０】
図１は、本発明の一実施形態が適用された投入比決定支援装置１の概略構成図である。本実施形態の投入比決定支援装置１は、超々臨界圧蒸気発電プラント等の、化石燃料（例えば石炭）およびバイオマス燃料（例えば木屑）の混焼が可能な新鋭火力発電プラントにおける、化石燃料およびバイオマス燃料の最適な投入比（混焼比）の決定を支援する装置である。
【００１１】
図示するように、投入比決定支援装置１は、演算部１００と、記憶部１２０と、キーボード、ディスプレイ、ＣＤ-ＲＯＭドライブ等の周辺装置と情報の入出力を行なう入出力部１４０と、通信ネットワークに接続するためのネットワークＩＦ（インターフェース）部１６０と、を有する。
【００１２】
記憶部１２０は、電量需要動向データ記憶部１２１と、発電目標値データ記憶部１２２と、単位発電量データ記憶部１２３と、投入量-排出量関係データ記憶部１２４と、排出量-価格関係データ記憶部１２５と、投入量-価格関係データ記憶部１２６と、単価データ記憶部１２７と、評価値データ記憶部１２８と、購入希望者データ記憶部１２９と、ＣＯ２排出権データ記憶部１３０と、を有する。
【００１３】
電力需要動向データ記憶部１２１には、所定エリア（例えば売電先候補が電力を供給するエリア）での所定期間（例えば来期）における電力需要動向を示すデータが記憶されている。図２（Ａ）は、電力需要動向データ記憶部１２１の登録内容例を示す図である。図示するように、エリアを登録するフィールド１２１１と、期間を登録するフィールド１２１２と、電力需要予測値を登録するフィールド１２１３と、電力供給予測値を登録するフィールド１２１４と、を有する。電力需要予測値は、フィールド１２１１に登録されているエリアに所在する電力需要家が、フィールド１２１２に登録されている期間に消費する電力の予測値である。また、電力供給予測値は、フィールド１２１１に登録されているエリアに電力を供給する売電家が、フィールド１２１２に登録されている期間に供給する電力の予測値である。
【００１４】
発電目標値データ記憶部１２２には、後述する発電目標値算出部１０１により算出された電力値が発電目標値として記憶される。図２（Ｂ）は、発電目標値データ記憶部１２２の登録内容例を示す図である。図示するように、エリアを登録するフィールド１２２１と、期間を登録するフィールド１２２２と、発電目標値を登録するフィールド１２２３と、を有する。発電目標値は、投入比決定支援装置１によって化石燃料およびバイオマス燃料の最適な投入比の決定が支援される新鋭火力発電プラント（対象プラントと呼ぶ）が、フィールド１２１２に登録されている期間に発電する電力の目標値である。
【００１５】
単位発電量データ記憶部１２３には、対象プラントで用いる燃料の単位量当たりの発電量を示すデータが記憶される。図２（Ｃ）は、単位発電量データ記憶部１２３の登録内容例を示す図である。図示するように、対象プラントで用いる化石燃料の種類を登録するフィールド１２３１と、対象プラントで用いる化石燃料の単位量当たりの発電量を登録するフィールド１２３２と、対象プラントで用いるバイオマス燃料の種類を登録するフィールド１２３３と、対象プラントで用いるバイオマス燃料の単位量当たりの発電量を登録するフィールド１２３４と、を有する。
【００１６】
投入量-排出量関係データ記憶部１２４には、図３（Ａ）に示すような、対象プラントに対する化石燃料の投入量１２４１と、該化石燃料によって対象プラントから排出されるＣＯ２排出量１２４２との関係を示すグラフデータ１２４３が登録されている。
【００１７】
排出量-価格関係データ記憶部１２５には、図３（Ｂ）に示すような、ＣＯ２排出量１２５１と、該ＣＯ２排出量を排出するためのＣＯ２排出権の価格１２５２との関係を示すグラフデータ１２５３が登録されている。
【００１８】
投入量-価格関係データ記憶部１２６には、図３（Ｃ）に示すような、対象プラントに対する化石燃料の投入量１２６１と、該化石燃料の投入量に対して課税される炭素税の価格１２６２との関係を示すグラフデータ１２６３が登録されている。
【００１９】
単価データ記憶部１２７には、対象プラントで用いる燃料の単価を示すデータが記憶される。図２（Ｄ）は、単価データ記憶部１２７の登録内容例を示す図である。図示するように、対象プラントで用いる化石燃料の種類を登録するフィールド１２７１と、対象プラントで用いる化石燃料の単価を登録するフィールド１２７２と、対象プラントで用いるバイオマス燃料の種類を登録するフィールド１２７３と、対象プラントで用いるバイオマス燃料の単価を登録するフィールド１２７４と、を有する。
【００２０】
評価値データ記憶部１２８には、対象プラントに投入するバイオマス燃料の化石燃料に対する比率毎に、後述する評価算出部１０２によって算出された評価値を含む情報が記憶される。図４（Ａ）は、評価値データ記憶部１２８の登録内容例を示す図である。図示するように、対象プラントに投入するバイオマス燃料の化石燃料に対する比率を登録するフィールド１２８１と、該比率の評価値を登録するフィールド１２８２と、該比率における化石燃料の投入量を登録するフィールド１２８３と、該比率での販売可能なＣＯ２排出量を登録するフィールド１２８４とを備えて、１つのレコードが形成されている。評価値は、対応する比率で化石燃料およびバイオマス燃料を投入した場合に、発電目標値データ記憶部１２２に登録されている発電目標値を得るために必要な燃料費、炭素税およびＣＯ２排出権の価格の総額に応じた値である。また、販売可能なＣＯ２排出量とは、対象プラントの所有者である発電家が所持しているＣＯ２排出権により割当てられているＣＯ２排出量から発電のために投入する化石燃料によって発生するＣＯ２排出量を差し引いた量（余りのＣＯ２排出量）である。
【００２１】
購入希望者データ記憶部１２９には、対象プラントが発電する電力の購入希望者、および、対象プラントで発電することにより販売が可能になったＣＯ２排出権の購入希望者毎に、購入希望内容を示すデータが記憶される。図４（Ｂ）は、購入希望者データ記憶部１２９の登録内容例を示す図である。図示するように、購入希望者の情報（利用端末のアドレスを含む）を登録するフィールド１２９１と、購入を希望する対象の情報（電力かＣＯ２排出権かを示す情報、電力の場合は購入を希望する電力量、ＣＯ２排出権の場合は購入を希望するＣＯ２排出量）を登録するフィールド１２９２と、購入希望価格の情報を登録するフィールド１２９３とを備えて、１つのレコードが形成されている。
【００２２】
そして、ＣＯ２排出権データ記憶部１３０には、対象プラントの所有者が有するＣＯ２排出権のデータが記憶される。このデータには、ＣＯ２排出量およびＣＯ２排出期間が含まれている。なお、本実施形態では、電力需要動向データのフィールド１２１２に登録されている期間が、ＣＯ２排出権データ記憶部１３０のデータのＣＯ２排出期間と一致している。
【００２３】
電量需要動向データ記憶部１２１、単位発電量データ記憶部１２３、投入量-排出量関係データ記憶部１２４、排出量-価格関係データ記憶部１２５、投入量-価格関係データ記憶部１２６、単価データ記憶部１２７、購入希望者データ記憶部１２９、および、ＣＯ２排出権データ記憶部１３０には、入出力部１４０を介して記憶媒体から、あるいは、ネットワークＩＦ部１６０を介して他の端末から受信したデータが、予め記憶される。
【００２４】
次に、演算部１００は、発電目標値算出部１０１と、評価値算出部１０２と、評価値出力部１０３と、販売先候補選定部１０４と、を有する。
【００２５】
発電目標値算出部１０１は、電力需要動向データ記憶部１２１のデータを用いて、該データのフィールド１２１２に登録されている期間における対象プラントでの発電目標値を算出し、これを該データのフィールド１２１１、１２１２に登録されている対象エリア、期間と共に、発電目標値データ記憶部１２２に登録する。
【００２６】
評価値算出部１０２は、発電目標値データ記憶部１２２、単位発電量データ記憶部１２３、投入量-排出量関係データ記憶部１２４、排出量-価格関係データ記憶部１２５、投入量-価格関係データ記憶部１２６、および、単価データ記憶部１２７のデータを用いて、対象プラントに投入するバイオマス燃料の化石燃料に対する比率の評価値を、複数の比率各々に対して算出し、評価値データ記憶部１２８に登録する。
【００２７】
図示するように、評価値算出部１０２は、比率設定部１０２１と、投入量算出部１０２２と、排出量特定部１０２３と、ＣＯ２排出権価格特定部１０２４と、炭素税特定部１０２５と、燃料費算出部１０２６と、評価値記憶部１０２７と、を有する。
【００２８】
比率設定部１０２１は、対象プラントに投入するバイオマス燃料の化石燃料に対する比率を設定する。
【００２９】
投入量算出部１０２２は、発電目標値データ記憶部１２２および単位発電量データ記憶部１２３のデータを用いて、比率設定部１０２１により設定されている比率で化石燃料およびバイオマス燃料を投入した場合に、発電目標値を生成するために必要な化石燃料およびバイオマス燃料各々の投入量を算出する。
【００３０】
排出量特定部１０２３は、投入量-排出量関係データ記憶部１２４のデータを用いて、投入量算出部１０２２で算出した化石燃料の投入量に対応するＣＯ２排出量を特定する。また、特定したＣＯ２排出量からＣＯ２排出権データ記憶部１３０のデータにより特定される対象プラント所有者のＣＯ２排出権のＣＯ２排出量を減算し、その結果を比率設定部１０２１により設定されている比率に対する販売可能なＣＯ２排出量として、評価値データ記憶部１２８に記憶する。
【００３１】
ＣＯ２排出権価格特定部１０２４は、排出量-価格関係データ記憶部１２５のデータを用いて、排出量特定部１０２３で特定したＣＯ２排出量に対応するＣＯ２排出権の価格を特定する。
【００３２】
炭素税特定部１０２５は、投入量-価格関係データ記憶部１２６のデータを用いて、投入量算出部１０２２で算出した化石燃料の投入量に対応する炭素税の価格を特定する。
【００３３】
燃料費算出部１０２６は、単価データ記憶部１２７のデータを用いて、投入量算出部１０２２で算出した化石燃料の投入量に対する化石燃料費、および、投入量算出部１０２２で算出したバイオマス燃料の投入量に対するバイオマス燃料費を算出する。
【００３４】
そして、評価値登録部１０２７は、炭素税特定部１０２５で特定した炭素税の価格と、ＣＯ２排出権価格特定部１０２４で特定したＣＯ２排出権の価格と、燃料費算出部１０２６で算出した化石燃料費およびバイオマス燃料費との総額に応じた値（例えば該総額に所定の係数を乗算した値）を算出し、この値を比率設定部１０２１により設定されている比率の評価値として、評価値データ記憶部１２８に記憶する。
【００３５】
評価値出力部１０３は、評価値データ登録部１２７のデータを入出力部１４０から出力装置に出力する。
【００３６】
販売先候補選定部１０４は、評価値データ記憶部１２８のデータおよび購入希望者データ記憶部１２９のデータを用いて、対象プラントの電力と、化石燃料およびバイオマス燃料の混焼により生じた販売可能なＣＯ２排出量との各販売先を選定し、その結果を入出力部１４０から出力装置に出力する。
【００３７】
上記構成の投入比決定支援装置１は、例えば図５に示すような、ＣＰＵ９０１と、メモリ９０２と、ＨＤＤ等の外部記憶装置９０３と、ＣＤ-ＲＯＭやＤＶＤ-ＲＯＭ等の可搬性を有する記憶媒体９０４から情報を読み出す読取装置９０５と、キーボードやマウスなどの入力装置９０６と、ディスプレイなどの出力装置９０７と、通信ネットワークに接続するための通信装置９０８と、を備えた一般的なコンピュータシステムにおいて、ＣＰＵ９０１がメモリ９０２上にロードされた所定のプログラムを実行することで実現できる。
【００３８】
この所定のプログラムは、読取装置９０５を介して記憶媒体９０４から、あるいは、通信装置９０８を介してネットワークから、外部記憶装置９０３にダウンロードされ、それから、メモリ９０２上にロードされてＣＰＵ９０１により実行されるようにしてもよい。また、読取装置９０５を介して記憶媒体９０４から、あるいは、通信装置９０８を介してネットワークから、メモリ９０２上に直接ロードされ、ＣＰＵ９０１により実行されるようにしてもよい。なお、この場合において、記憶部１２０には、メモリ９０２や外部記憶装置９０３や記憶媒体９０４が利用され、入出力部１４０には、入力装置９０６や出力装置９０７や読取装置９０５が利用され、ネットワークＩＦ部１６０には通信装置９０８が利用される。
【００３９】
次に、上記構成の投入比決定支援装置１の動作を説明する。
【００４０】
図６は、発電目標値算出部１０１の動作を説明するためのフロー図である。このフローは、例えば入出力部１０１を介してユーザより発電目標値の算出指示を受付けることで開始される。
【００４１】
先ず、発電目標値算出部１０１は、電力需要動向データ記憶部１２１から電力需要動向データを読み出す（Ｓ１０１）。次に、読み出した電力需要動向データのフィールド１２１３に登録されている電力需要予測値から、該データのフィールド１２１４に登録されている電力供給予測値を減算する。そして、その結果を、該データのフィールド１２１１に登録されているエリアにおいて、該データのフィールド１２１２に登録されている期間に不足すると予測される電力量（電力不足予測量と呼ぶ）に設定し、メモリ等に一次的に記憶する（Ｓ１０２）。
【００４２】
次に、発電目標値算出部１０１は、入出力部１４０を介して出力装置に占有係数の受付画面を表示し、入出力部１４０を介して入力装置より占有係数を受付ける（Ｓ１０３）。ここで、占有係数とは、対象プラントが賄う電力の電力不足予測量に対する割合を示す係数である。さて、発電目標値算出部１０１は、占有係数を受付けると、メモリ等に一次的に記憶しておいた電力不足予測量にこの占有係数を乗算する（Ｓ１０４）。そして、その結果を、読み出した電力需要動向データのフィールド１２１２に登録されている期間における対象プラントの発電目標値に設定し、この発電目標値を、読み出した電力需要動向データのフィールド１２１１、１２１２に登録されているエリア、期間と共に、発電目標値データ記憶部１２２に記憶する（Ｓ１０５）。
【００４３】
図７は、評価値算出部１０２の動作を説明するためのフロー図である。このフローは、上述の図６に示すフローにより発電目標値データ記憶部１２２にデータが登録されていることを前提に、例えば入出力部１０１を介してユーザより評価値の算出指示を受付けることで開始される。
【００４４】
先ず、比率設定部１０２１は、対象プラントに投入するバイオマス燃料の化石燃料に対する比率αを所定の初期値（例えば０％）に設定し、メモリ等に一次的に記憶する。また、評価値データ記憶部１２７に新たなレコードを追加し、このレコードのフィールド１２８１に、設定した比率αを登録する。それから、投入量算出部１０２２に投入量の算出を指示する（Ｓ２０１）。
【００４５】
投入量算出部１０２２は、比率設定部１０２１から指示を受け取ると、発電目標値データ記憶部１２２から発電目標値データを読み出すと共に、単位発電量データ記憶部１２３から単位発電量データを読み出す。そして、発電目標値データのフィールド１２２３に登録されている発電目標値（Ｐとする）と、単位発電量データのフィールド１２３２に登録されている化石燃料の単位発電量（ｐｃとする）と、単位発電量データのフィールド１２３４に登録されているバイオマス燃料の単位発電量（ｐｂとする）と、比率設定部１０２１により設定された比率αとを用いて、比率αで化石燃料およびバイオマス燃料を対象プラントに投入した場合に、発電目標値Ｐを生成するために必要な化石燃料の投入量（Ｍｃとする）およびバイオマス燃料の投入量（Ｍｂとする）各々の投入量を算出する。具体的には、数１により、化石燃料の投入量Ｍｃを算出し、それから数２により、バイオマス燃料の投入量Ｍｂを算出する。
【００４６】
Ｐ＝Ｍｃ*ｐｃ+α*Ｍｃ*ｐｂ…数１
Ｍｂ＝α*Ｍｃ…数２
以上のようにして、化石燃料およびバイオマス燃料各々の投入量Ｍｃ、Ｍｖを算出したならば、これらをメモリ等に一次的に記憶する。また、評価値データ記憶部１２７に新たに追加されたレコードのフィールド１２８３に、該算出した化石燃料の投入量Ｍｃを登録する。それから、排出量特定部１０２３に排出量の特定を指示する（Ｓ２０２）。
【００４７】
排出量特定部１０２３は、投入量算出部１０２２から指示を受け取ると、投入量-排出量関係データ記憶部１２４から投入量-排出量関係データを読み出す。そして、該関係データを用いて、投入量算出部１０２２により算出された化石燃料の投入量Ｍｃに対応するＣＯ２排出量を特定し、これをメモリ等に一次的に記憶する。
【００４８】
また、ＣＯ２排出権データ記憶部１３０からＣＯ２排出権データを読み出し、このデータにより特定されるＣＯ２排出量から前記特定したＣＯ２排出量を減算する。その結果を販売可能なＣＯ２排出量として、評価値データ記憶部１２７に新たに追加されたレコードのフィールド１２８４に登録する。それから、ＣＯ２排出権価格特定部１０２４にＣＯ２排出権の価格の特定を指示する（Ｓ２０３）。
【００４９】
ＣＯ２排出権価格特定部１０２４は、排出量特定部１０２３から指示を受け取ると、排出量-価格関係データ記憶部１２５から排出量-価格関係データを読み出す。そして、該関係データを用いて、排出量特定部１０２３により特定されたＣＯ２排出量（投入量算出部１０２２により算出された化石燃料の投入量に対応するＣＯ２排出量）に対応するＣＯ２排出権の価格を特定し、これをメモリ等に一次的に記憶する。それから、炭素税特定部１０２５に炭素税額の特定を指示する（Ｓ２０４）。
【００５０】
炭素税特定部１０２５は、ＣＯ２排出権価格特定部１０２４から指示を受け取ると、投入量-価格関係データ記憶部１２６から投入量-価格関係データを読み出す。そして、該関係データを用いて、投入量算出部１０２２により算出された化石燃料の投入量に応じた炭素税額を特定し、これをメモリ等に一次的に記憶する。それから、燃料費算出部１０２６に燃料費の算出を指示する（Ｓ２０５）。
【００５１】
燃料費算出部１０２６は、炭素税特定部１０２５から指示を受け取ると、単価データ記憶部１２７から単価データを読み出す。そして、単価データのフィールド１２７２に登録されている化石燃料の単価（Ｕｃとする）と、単価データのフィールド１２７４に登録されているバイオマス燃料の単価（Ｕｂとする）と、投入量算出部１０２２により算出された化石燃料の投入量Ｍｃと、投入量算出部１０２２により算出されたバイオマス燃料の投入量Ｍｂとを用いて、対象プラントで比率αで発電目標値Ｐを生成するために必要な燃料費Ｕｔを算出する。具体的には、数３により、燃料費Ｕｔを算出する。
【００５２】
Ｕｔ＝Ｕｃ*Ｍｃ+Ｕｂ*Ｍｂ…数３
以上のようにして、燃料費Ｕｔを算出したならば、これをメモリ等に一次的に記憶する。それから、評価値登録部１０２７に評価値の登録を指示する（Ｓ２０６）。
【００５３】
評価値登録部１０２７は、燃料算出部１０２６から指示を受け取ると、ＣＯ２排出権価格特定部１０２４で特定されたＣＯ２排出権の価格と、炭素税特定部１０２５で特定された炭素税額と、燃料費算出部１０２６で算出された燃料費との合計を算出する。そして、この合計に例えば所定の係数を乗じた値を比率αの評価値に設定し、評価値データ記憶部１２７に新たに追加したレコードのフィールド１２８２に登録する。それから、比率設定部１０２１に比率の設定を指示する（Ｓ２０７）。
【００５４】
さて、比率設定部１０２１は、評価値登録部１０３より指示を受け取ったならば、現在の比率αが所定の閾値（例えば５０％）に到達したか否かを調べる（Ｓ２０８）。到達していないならば（Ｓ２０８でＮｏ）、比率αを現在値から所定量（例えば１％）増加させ、これを新たな比率αに設定し、メモリ等に一次的に記憶する。また、評価値データ記憶部１２７に新たなレコードを追加し、このレコードのフィールド１２８１に、新たに設定した比率αを登録する。（Ｓ２０９）。それから、Ｓ２０２に戻って処理を続ける。一方、到達しているならば（Ｓ２０８でＹｅｓ）、評価値出力部１０３に評価値の出力を指示し（Ｓ２１０）、処理を終了する。
【００５５】
図８は、評価値出力部１０３の動作を説明するためのフロー図である。このフローは、上述の図７に示すフローにより評価値出力部１０３が評価値算出部１０２から指示を受付けることで開始される。
【００５６】
先ず、評価値出力部１０３は、評価値データ記憶部１２８の各レコードを読み出す。そして、比率および評価値を座標軸とする座標系上に、各レコードのフィールド１２８１、１２８２に登録されている（比率、評価値）をプロットして、比率-評価値の関係グラフを作成する（Ｓ３０１）。また、評価値が最も小さいレコードの比率を特定し、この比率を推奨比率に決定し、さらに、この比率がフィールド１２８２に登録されているレコードのフィールド１２８３の投入量を推奨投入量に決定する（Ｓ３０２）。それから、評価出力部１０３は、作成した比率-評価値の関係グラフおよび決定した推奨比率、推奨投入量が示された投入比率決定支援画面の表示データを生成し、入出力部１４０を介して出力装置に出力する（Ｓ３０３）。
【００５７】
図９は、入出力部１４０に接続された出力装置に表示される投入比率決定支援画面の一例を示している。この例において、符号１０３１が比率-評価値の関係グラフである。このグラフ１０３１から分かるように、炭素税やＣＯ２排出権の価格の仕組み（制度）によっては、コスト面で最適な比率ｘが存在する。符号１０３２は推奨比率の表示欄である。初期状態では、グラフ１０３１において評価値が最も小さくなる比率ｘが表示される。なお、この表示欄１０３２はプルダウンメニュー形式となっており、このプルダウンメニューには、評価値データ記憶部１２８の各レコードのフィールド１２８１に登録されている比率がリスト形式で表示されている。ユーザは、入力装置を使ってプルダウンメニューの中から表示欄１０３２に表示する比率を選択することができる。符号１０３５は化石燃料の投入量の表示欄であり、表示欄１０３２に表示中に比率がフィールド１２８１に登録されているレコードの、フィールド１２８３に登録されている化石燃料の投入量がこの表示欄１０３５に表示される。また、符号１０３３は表示欄１０３２に表示されている推奨比率を確定して画面表示を終了するＯＫボタンであり、符号１０３４は該推奨比率をキャンセルして画面表示を終了するＮＧボタンである。ユーザによって推奨比率が確定した場合、評価値出力部１０３は、この確定した推奨比率を販売先候補選定部１０４に通知して販売先の選定を指示する。
【００５８】
図１０は、販売先候補選定部１０４の動作を説明するためのフロー図である。このフローは、上述の図８に示すフローにより販売先候補選定部１０４が評価値出力部１０３から推奨比率を受付けることで開始される。
【００５９】
販売先候補選定部１０４は、評価値データ記憶部１２８を検索し、評価値出力部１０３が決定した推奨比率がフィールド１２８１に登録されているレコードを検索し、該レコードのフィールド１２８３に登録されている販売可能なＣＯ２排出量を読み出す（Ｓ４０１）。次に、購入希望者データ記憶部１２９を検索し、フィールド１２９２に、購入希望対象がＣＯ２排出権であり、そのＣＯ２排出量が販売可能なＣＯ２排出量に最も近いレコードを検索し、該レコードのフィールド１２９１に登録されている購入希望者の情報を読み出す。そして、該情報により特定される購入希望者を、推奨比率で対象プラントに化石燃料およびバイオマス燃料を投入することにより販売が可能となるＣＯ２排出量に対応するＣＯ２排出権の販売先候補に選出する（Ｓ４０２）。
【００６０】
また、販売先候補選定部１０４は、発電目標値データ記憶部１２２のデータを読み出して発電目標値を特定する（Ｓ４０３）。次に、購入希望者データ記憶部１２９を検索し、フィールド１２９２に、購入希望対象が電力であり、その電力量が発電目標値に最も近いレコードを検索し、該レコードのフィールド１２９１に登録されている購入希望者の情報を読み出す。そして、該情報により特定される購入希望者を、対象プラントの電力の販売先候補に選出する（Ｓ４０４）。なお、先ず、Ｓ４０２で選出したＣＯ２排出権の販売先候補の情報がフィールド１２９１に登録され、電力を購入希望対象とする情報がフィールド１２９２に登録されているレコードがあるか否かを検索し、このようなレコードが存在する場合は、該レコードのフィールド１２９２に登録されている電力量と発電目標値とを比較し、両者の差異が所定の条件（例えば発電目標値の数％未満）である場合に、Ｓ４０２で選出したＣＯ２排出権の販売先候補を対象プラントの電力の販売先候補に選出してもよい。そして、このようなレコードがない場合にのみ、電力量が発電目標値に最も近いレコードのフィールド１２９１に登録されている購入希望者の情報により特定される購入希望者を、対象プラントの電力の販売先候補に選出してもよい。
【００６１】
さて、販売先候補選定部１０４は、以上のようにしてＣＯ２排出権の販売先候補および電力の販売先候補を選定したならば、各候補の購入希望者の情報を、入出力部１４０を介して出力装置に出力する（Ｓ４０５）。
【００６２】
以上、本発明の一実施形態について説明した。
【００６３】
本実施形態では、対象プラントに投入するバイオマス燃料の化石燃料に対する比率毎に、発電目標値を得るために当該比率でバイオマス燃料および化石燃料を発電プラントに投入した場合における燃料費、ＣＯ２排出権の価格および炭素税額の総額に応じた値を、評価値として算出し出力する。したがって、本実施形態によれば、ユーザが、ＣＯ２排出権および炭素税を考慮した上でコスト面からみて最適な比率を決定するように支援することがきできる。
【００６４】
ここで、本実施形態の投入比決定支援装置１を用いて実現できるビジネスの一例を説明する。図１１は、投入比決定支援装置１を用いて実現できるビジネスの概要を説明するための図である。新鋭火力発電プラントである対象プラント２の所有者である発電家Ａは、投入比決定支援装置１を用いて、化石燃料の対象プラント２への投入量およびバイオマス燃料の化石燃料に対する投入比率と、電力および余剰なＣＯ２排出権の販売先（売電家）とを決定する。そして、決定した化石燃料の投入量およびバイオマス燃料の化石燃料に対する投入比率で対象プラントに燃料を投入し混焼させることで発電し、その電力を売電家に販売する。また、余剰なＣＯ２排出権を売電家に販売する。旧型の火力発電プラント３の所有者である発電家Ｂは、多くの電力を販売したいがＣＯ２排出権により割当てられたＣＯ２排出量が足りない。そこで、足りない分のＣＯ２排出権を売電家から購入し、該売電家に電力を販売する。そして、売電家は、発電家Ａ、Ｂから購入した電力を売電する。
【００６５】
なお、本発明は上記の実施形態に限定されるものではなく、その要旨の範囲内で数々の変形が可能である。
【００６６】
上記の実施形態では、図７のＳ２０７において、評価値登録部１０２７に、ＣＯ２排出権価格特定部１０２４で特定されたＣＯ２排出権の価格と、炭素税特定部１０２５で特定された炭素税額と、燃料費算出部１０２６で算出した燃料費との合計に応じた値（例えば該合計に所定の係数を乗じた値）を評価値に設定している。しかし、本発明はこれに限定されない。例えば、図７のＳ２０７において、先ず、ＣＯ２排出権価格特定部１０２４に、排出量-価格関係データ記憶部１２５の排出量-価格関係データを用いて、図７のＳ２０４により評価値データ記憶部１２７に新たに追加されたレコードのフィールド１２８４に登録されたＣＯ２排出量に対するＣＯ２排出権の価格を特定させる。それから、評価値登録部１０２７に、該合計から前記特定させた価格を減算した額に応じた値（例えば該減算した額に所定の係数を乗じた値）を評価値に設定してもよい。このようにすれば、ＣＯ２排出権の販売による利益も考慮して比率の決定を支援することが可能となる。
【００６７】
また、投入比決定支援装置１は、複数のコンピュータを用いて実現してもよい。
【図面の簡単な説明】
【００６８】
【図１】図１は本発明の一実施形態が適用された投入比決定支援装置１の概略構成図である。
【図２】図２（Ａ）は電力需要動向データ記憶部１２１の登録内容例を示す図、図２（Ｂ）は発電目標値データ記憶部１２２の登録内容例を示す図、図２（Ｃ）は単位発電量データ記憶部１２３の登録内容例を示す図、そして、図２（Ｄ）は単価データ記憶部１２７の登録内容例を示す図である。
【図３】図３（Ａ）は投入量-排出量関係データ記憶部１２４の登録内容例を示す図、図３（Ｂ）は排出量-価格関係データ記憶部１２５の登録内容例を示す図、そして、図３（Ｃ）は投入量-価格関係データ記憶部１２６の登録内容例を示す図である。
【図４】図４（Ａ）は評価値データ記憶部１２８の登録内容例を示す図、そして、図４（Ｂ）は購入希望者データ記憶部１２９の登録内容例を示す図である。
【図５】図５は投入比決定支援装置１のハードウエア構成例を示す図である。
【図６】図６は発電目標値算出部１０１の動作を説明するためのフロー図である。
【図７】図７は評価値算出部１０２の動作を説明するためのフロー図である。
【図８】図８は評価値出力部１０３の動作を説明するためのフロー図である。
【図９】図９は入出力部１４０に接続された出力装置に表示される投入比率決定支援画面の一例を示す図である。
【図１０】図１０は販売先候補選定部１０４の動作を説明するためのフロー図である。
【図１１】図１１は投入比決定支援装置１を用いて実現できるビジネスの概要を説明するための図である。
【符号の説明】
【００６９】
１：投入比決定支援装置１、２：対象プラント、３：旧型火力発電プラント、１００：演算部、１０１：発電目標値算出部、１０２：評価値算出部、１０３：評価値出力部、１０４：販売候補選定部、１２０：記憶部、１２１：電力需要動向データ記憶部、１２２：発電目標値データ記憶部、１２３：単位発電量データ記憶部、１２４：投入量-排出量関係データ記憶部、１２５：排出量-価格関係データ記憶部、１２６：投入量-価格関係データ記憶部、１２７：単価データ記憶部、１２８：評価値データ記憶部、１２９：購入希望者データ記憶部１２９、１３０：ＣＯ２排出権データ記憶部、１４０：入出力部、１６０：ネットワークＩＦ部
【図１】
2005332171.tif 000003
【図２】
2005332171.tif 000004
【図３】
2005332171.tif 000005
【図４】
2005332171.tif 000006
【図５】
2005332171.tif 000007
【図６】
2005332171.tif 000008
【図７】
2005332171.tif 000009
【図８】
2005332171.tif 000010
【図９】
2005332171.tif 000011
【図１０】
2005332171.tif 000012
【図１１】
2005332171.tif 000013